(57)【要約】【課題】ＰＣによる火災発生の通報とそれに伴う関連情報および誘導案内情報を享受することができるＬＡＮを用いた火災警報情報システムを提供する。【解決手段】建物内に配置されるＬＡＮ１１１と、このＬＡＮ１１１に接続されるサーバー１１２と、このサーバー１１２に接続されるパーソナルコンピュータ１０１とを備え、このパーソナルコンピュータ１０１に火災通報用入力装置１０２と、この火災通報に基づいた火災情報表示装置及び誘導案内情報表示装置１０４と、前記サーバー１１２によって管理される建物内の他のパーソナルコンピュータ１０１に火災通報を行うとともに、この火災通報に基づいた火災情報及び誘導案内情報の表示を行うプログラムを格納する記録媒体１０３とを具備する。【選択図】  図１
2004272398.tif 000002
【特許請求の範囲】
【請求項１】
（ａ）建物内に配置されるＬＡＮと、
（ｂ）該ＬＡＮに接続されるサーバーと、
（ｃ）該サーバーに接続されるパーソナルコンピュータとを備えるとともに、
（ｄ）該パーソナルコンピュータに火災通報用入力装置と、該火災通報に基づいた火災情報表示装置及び誘導案内情報表示装置と、前記サーバーによって管理される建物内の他のパーソナルコンピュータに火災通報を行うとともに、該火災通報に基づいた火災情報及び誘導案内情報の表示を行うプログラムを格納する記録媒体とを具備することを特徴とするＬＡＮを用いた火災警報情報システム。
【請求項２】
請求項１記載のＬＡＮを用いた火災警報情報システムにおいて、前記パーソナルコンピュータが可搬型パーソナルコンピュータであることを特徴とするＬＡＮを用いた火災警報情報システム。
【請求項３】
請求項２記載のＬＡＮを用いた火災警報情報システムにおいて、前記パーソナルコンピュータがＰＤＡであり、前記建物の外部から無線通信により前記サーバーに接続するようにしたことを特徴とするＬＡＮを用いた火災警報情報システム。
【請求項４】
請求項１記載のＬＡＮを用いた火災警報情報システムにおいて、前記パーソナルコンピュータには小型火災警報装置を具備することを特徴とするＬＡＮを用いた火災警報情報システム。
【請求項５】
（ａ）建物内に配置されるＬＡＮと、
（ｂ）該ＬＡＮに接続されるパーソナルコンピュータとを備えるとともに、
（ｃ）該パーソナルコンピュータに火災通報用入力装置と、該火災通報に基づいた火災情報表示装置及び誘導案内情報表示装置と、建物内の他のパーソナルコンピュータに火災通報を行うとともに、該火災通報に基づいた火災情報及び誘導案内情報の表示を行うプログラムを格納する記録媒体とを具備し、前記パーソナルコンピュータ同志のピア・ツー・ピア接続により火災警報情報の授受を行うことを特徴とするＬＡＮを用いた火災警報情報システム。
【発明の詳細な説明】
【０００１】
【発明の属する技術分野】
本発明は、ＬＡＮを用いた火災警報情報システムに関するものである。
【０００２】
【従来の技術】
図３は従来の火災警報情報システムの概略模式図である。
【０００３】
この図において、１は火災報知用ボタン、２は火災報知器、３は火災情報収集サーバーである。
【０００４】
このように、従来の火災警報情報システムにおいては、火災報知器２とその火災報知器２を作動させるための火災報知用ボタン１が配置されており、火災発見時には発見者は、その火災報知用ボタン１を見つけ出し、その火災報知用ボタン１を操作して火災を報知するようにしている。
【０００５】
【特許文献１】
特開２００１−２９７３８６（第３−４頁  図１）
【０００６】
【発明が解決しようとする課題】
このように、従来の図３に示す火災警報情報システムの場合は、火災発見時には火災報知用ボタン１を探し出し、その火災報知用ボタン１を押すことが必要であるが、火災状況によっては、煙・火災等により火災報知用ボタン１を探し出し、操作するのが困難な場合が多く、また、近くに火災報知器２が配置されていない場合は、火災の発見から警報を発するまでに時間がかかることになる。また、火災報知器２から警報が発信されたとしても、避難経路が避難者に伝わっていなかった場合や、避難ルートが火災の状況により使用できなかった場合、また、広報情報が聞き取れなかった場合には混乱が起こり、結果として被害が大きくなるといった問題がある。
【０００７】
そこで、上記特許文献１に開示されるような情報表示装置及びコンピュータプログラム記録媒体並びに住戸端末装置が提案されている。すなわち、図４の概略図に示すように、各住戸に設置されるインターフォン親機１３のセキュリティインターホンのブロック１３ａ及び火災センサ１４などがセキュリティインターホン制御装置２１に接続されるとともに、インターフォン親機１３の情報表示機のブロック１３ｂがＬＡＮを介してサーバー１２に接続される。セキュリティインターホン制御装置２１は火災などが発生すると、火災情報と住戸番号をサーバー１２に送信し、サーバー１２は火災などに対応する画像ファイル又はデータを火災が発生した住戸番号に応じてその付近の住戸など必要なＩＰアドレスに送信することによりメッセージを情報表示機のブロック１３ｂに表示させる。
【０００８】
すなわち、火災センサ１４が配置されている火災警報情報システムにおいては、その火災センサ１４からの出力信号により、各所の火災報知装置に通報するようにしている。
【０００９】
ところで、会社のオフィスやマンションの住戸においては、ＰＣ（パーソナルコンピュータ）が普及して、ＬＡＮにより他のＰＣや外部の機関への接続が可能になってきている。
【００１０】
本発明は、このような背景に着目して、ＰＣを火災警報情報システムに組み込んで、ライフライン化を図ろうとするものである。
【００１１】
すなわち、本発明は、上記状況に鑑みて、ＰＣによる火災発生の通報とそれに伴う関連情報および誘導案内情報を享受することができるＬＡＮを用いた火災警報情報システムを提供することを目的とする。
【００１２】
【課題を解決するための手段】
本発明は、上記目的を達成するために、
〔１〕ＬＡＮを用いた火災警報情報システムにおいて、建物内に配置されるＬＡＮと、このＬＡＮに接続されるサーバーと、このサーバーに接続されるパーソナルコンピュータとを備えるとともに、このパーソナルコンピュータに火災通報用入力装置と、この火災通報に基づいた火災情報表示装置及び誘導案内情報表示装置と、前記サーバーによって管理される建物内の他のパーソナルコンピュータに火災通報を行うとともに、この火災通報に基づいた火災情報及び誘導案内情報の表示を行うプログラムを格納する記録媒体とを具備することを特徴とする。
【００１３】
〔２〕上記〔１〕記載のＬＡＮを用いた火災警報情報システムにおいて、前記パーソナルコンピュータが可搬型パーソナルコンピュータであることを特徴とする。
【００１４】
〔３〕上記〔２〕記載のＬＡＮを用いた火災警報情報システムにおいて、前記パーソナルコンピュータがＰＤＡであり、前記建物の外部から無線通信により前記サーバーに接続するようにしたことを特徴とする。
【００１５】
〔４〕上記〔１〕記載のＬＡＮを用いた火災警報情報システムにおいて、前記パーソナルコンピュータには小型火災警報装置を具備することを特徴とする。
【００１６】
〔５〕ＬＡＮを用いた火災警報情報システムにおいて、建物内に配置されるＬＡＮと、このＬＡＮに接続されるパーソナルコンピュータとを備えるとともに、このパーソナルコンピュータに火災通報用入力装置と、この火災通報に基づいた火災情報表示装置及び誘導案内情報表示装置と、建物内の他のパーソナルコンピュータに火災通報を行うとともに、この火災通報に基づいた火災情報及び誘導案内情報の表示を行うプログラムを格納する記録媒体とを具備し、前記パーソナルコンピュータ同志のピアー・ツー・ピァ接続により火災警報情報の授受を行うことを特徴とする。
【００１７】
【発明の実施の形態】
以下、本発明の実施の形態について詳細に説明する。
【００１８】
図１は本発明の第１実施例を示すＬＡＮを用いた火災警報情報システムの模式図である。
【００１９】
この図において、１０１はＰＣ（パーソナルコンピュータ）、１０２は入力装置としての入力用キーボード、１０３は記憶装置（メモリ）であり、この記憶装置（メモリ）１０３は、オフィスやマンション等の建物内部の見取図、通路（非常口、非常階段、エレベータなどを含む）図などを記憶している。また、１０４は表示装置であり、この表示装置には、ＯＡ機器としての表示機能の他に他の機能として火災発生箇所やそれに対応した避難通路を表示することができる。１０５は小型火災警報装置であり、火災情報をＰＣ１０１が受信すると、自動的に警報（例えば、消防自動車のサイレンに類似させる）を発するように構成する。このようにすることによって、当該ＰＣ１０１から少し離れた位置で仕事や用を足している場合であっても、ＰＣ１０１への喚起を促すことができる。
【００２０】
１１１はＬＡＮ（ローカル・エリア・ネットワーク）であり、複数のＰＣ１０１と火災情報収集サーバー１１２とを接続するとともに、建物内部の火災警報装置（例えば、火災警報ベルやサイレン）１１３や外部の所轄部署である消防署１１４などに接続されている。
【００２１】
したがって、火災が発生した場合には、火災発見者は、最寄りのＰＣ１０１にアクセスし、ＰＣ１０１の入力用キーボード１０２から火災発生通知情報（例えば、「１１９」）を入力する。すると、そのＰＣ１０１の設置位置情報とともに、火災発生情報がＬＡＮ１１１を介して、他のＰＣ１０１に通信され、ＰＣ１０１の小型火災警報装置１０５の警報が鳴るとともに、火災発生場所のＰＣ１０１にはその火災発生場所を基準にした避難通路の地図を、またその他のＰＣ１０１には火災発生場所及び現在位置からの避難通路をＰＣ１０１の表示装置１０４に表示することができる。
【００２２】
また、その他ＬＡＮ１１１に接続されたプリンター１１５、ＦＡＸ１１６、コピー機１１７などに火災情報を印刷したり、ＬＡＮに接続されたテレビチューナ１１８にＰＣ１０１と同じ情報を表示させたり、ラジカセ１１９に音声情報を送ったりすることができる。
【００２３】
さらに、図示しないが、サーバーを介さないＰＣ同志のピアー・ツー・ピア接続により火災警報情報を授受するようにしてもよい。
【００２４】
したがって、このＰＣ１０１からの情報によって、立ちどころに避難通路から安全な場所へと脱出することができる。
【００２５】
このとき、ＰＣ１０１から離れた場所で仕事をしたり、用を足している場合でも、小型火災警報装置１０５からの警報により火災を報知し、ＰＣ１０１にアクセスすることを喚起することができる。
【００２６】
当然、ＬＡＮ１１１は火災情報収集サーバー１１２に接続されており、建物内部の火災警報装置１１３を作動させることができる。さらに、外部の消防署１１４に通報することもできる。
【００２７】
図２は本発明の第２実施例を示すＬＡＮを用いた火災警報情報システムの模式図である。
【００２８】
この図において、２００は建物、２０１は建物内のＰＣ、２０２はＬＡＮ、２０３は中央情報処理装置、２０４は火災情報収集サーバー、２０５は火災警報装置である。２１０は外線で接続される所轄部署としての消防署、２１１はＬＡＮによって中央情報処理装置２０３と接続される地域への火災の広報用の無線ＬＡＮ塔である。
【００２９】
また、屋外においては、利用者（例えば、守衛）３０１は、ＰＤＡ（個人向け携帯型情報通信機器）３０２を携帯しており、例えば建物２００の外の巡回時にＡ棟工場３０３の火災を発見したような場合には、ＰＤＡ３０２に火災発生通報のための情報（例えば、１１９）と位置情報（Ａ棟工場）を入力すると、中央情報処理装置２０３を介して建物内のＰＣ２０１で警報通報および火災場所の表示をさせることができる。
【００３０】
さらに、利用者（例えば、守衛）３０１のＰＤＡ３０２は、建物２００内で火災が生じた場合の火災発生通報を受信できるので、外部からも素早くそれに対応した措置を講じることができる。
【００３１】
なお、本発明によれば、オフィスやマンションなどにの建物に設置されるＰＣにライフラインとしての火災通報及び避難誘導機能を持たせるようにするので、ＰＣを使用中の作業に支障を来さないように配慮する。その点から、まず、ＰＣ使用中に火災が発生した場合は、まず、小型火災警報で報知されるので、使用者は火災の発生を認識し、使用中のアプリケーションを保存し、終了させた後、火災に関する情報を表示させるようにする。
【００３２】
なお、本発明は上記実施例に限定されるものではなく、本発明の趣旨に基づいて種々の変形が可能であり、それらを本発明の範囲から排除するものではない。
【００３３】
【発明の効果】
以上、詳細に説明したように、本発明によれば、以下のような効果を奏することができる。
【００３４】
（Ａ）火災発見時に手元のＰＣにより、火災警報を迅速に発信することが出来る。
【００３５】
（Ｂ）火災警報を発信したＰＣのＬＡＮ識別情報により火災現場の特定ができる。
【００３６】
（Ｃ）ＰＣのＬＡＮ識別情報により、各ＰＣに最適な避難経路を表示することが出来る。
【００３７】
（Ｄ）ＰＣに設けられる小型火災警報装置からの報知により、火災発生を知った際に、ＰＣを用いて作業中であれば、それを終了させ、しかる後に火災に関する情報を見ることが出来る。
【図面の簡単な説明】
【図１】本発明の第１実施例を示すＬＡＮを用いた火災警報情報システムの模式図である。
【図２】本発明の第２実施例を示すＬＡＮを用いた火災警報情報システムの模式図である。
【図３】従来の火災警報情報システム（その１）の概略模式図である。
【図４】従来の火災警報情報システム（その２）の概略模式図である。
【符号の説明】
１０１    ＰＣ（パーソナルコンピュータ）
１０２    入力装置（入力用キーボード）
１０３    記憶装置（メモリ）
１０４    表示装置
１０５    小型火災警報装置
１１１，２０２    ＬＡＮ（ローカル・エリア・ネットワーク）
１１２，２０４    火災情報収集サーバー
１１３，２０５    火災警報装置
１１４，２１０    消防署
１１５    プリンター
１１６    ＦＡＸ
１１７    コピー機
１１８    テレビチューナ
１１９    ラジカセ
２００    建物
２０１    建物内のＰＣ
２０３    中央情報処理装置
２１１    火災の広報用の無線ＬＡＮ塔
３０１    利用者（例えば、守衛）
３０２    ＰＤＡ（個人向け携帯型情報通信機器）
３０３    工場
【図１】
2004272398.tif 000003
【図２】
2004272398.tif 000004
【図３】
2004272398.tif 000005
【図４】
2004272398.tif 000006